(57)【要約】【課題】乗員となる人物に車両の操作性を的確に認識させる。【解決手段】車両受注サーバ装置１３の人体モデル生成部３２は、端末装置１１の入力操作部２３を介して操作者から入力される人体の身体的特徴に係る人体データや人体データ記憶部３５に予め記憶されている人体データに基づき、人体モデルを生成する。動作画像データ生成部３３は、生成された人体モデルと、部品データ記憶部３６に格納された車両部品のデータとに基づき、人体モデルが車両部品を操作する際の一連の動作を構成する複数の画像からなる動作画像データを生成する。目線画像データ生成部３４は、人体モデルが車両部品を操作する際の一連の動作に伴う人体モデルの目線からみた画像からなる目線画像データを生成する。車両受注サーバ装置１３は、操作者の入力操作に応じて、作成した動作画像データや目線画像データを、端末装置１１の表示部２２に表示させる。【選択図】　　　図１
2004078775.tif 000002
【特許請求の範囲】
【請求項１】
操作者の入力操作に応じて車両の注文を受注する車両受注サーバ装置であって、
操作者から入力される人体の身体的特徴に係る人体データを記憶する人体データ記憶手段と、
前記人体データに基づいて人体モデルを生成する人体モデル生成手段と、
前記人体モデルの車両操作に係る所定動作を複数の画像により構成してなる動作画像データを生成する動作画像データ生成手段と、
前記動作画像データを操作者に対して表示する画像データ表示手段と
を備えることを特徴とする車両受注サーバ装置。
【請求項２】
前記人体モデルの車両操作に係る所定動作に伴う前記人体モデルの目線からみた画像からなる目線画像データを生成する目線画像データ生成手段を備え、
前記画像データ表示手段は、前記目線画像データを操作者に対して表示することを特徴とする請求項１に記載の車両受注サーバ装置。
【請求項３】
第２の人体モデルを生成する第２人体モデル生成手段と、
前記人体モデルの車両操作に係る所定動作に応じた前記第２の人体モデルの動作を複数の画像により構成してなる第２の動作画像データを生成する第２動作画像データ生成手段と、
前記第２の人体モデルの動作に伴う前記第２の人体モデルの目線からみた画像からなる第２の目線画像データを生成する第２目線画像データ生成手段と
を備え、
前記画像データ表示手段は、前記第２の動作画像データおよび前記第２の目線画像データを操作者に対して表示することを特徴とする請求項１または請求項２の何れかに記載の車両受注サーバ装置。
【請求項４】
前記人体モデルにより操作される車両を構成する車両部品のデータを記憶する部品データ記憶手段と、
前記部品データ記憶手段に格納されている前記車両部品のデータを操作者に選択させる選択手段と
を備えることを特徴とする請求項１から請求項３の何れかに記載の車両受注サーバ装置。
【請求項５】
前記部品データ記憶手段は、前記車両部品のデータを所定人体データに対応付けて記憶しており、
操作者から入力される前記人体データに応じて前記部品データ記憶手段に格納されている前記車両部品のデータを取得する部品データ取得手段を備え、
前記選択手段は、前記部品データ取得手段により取得された前記車両部品のデータを操作者に選択させることを特徴とする請求項４に記載の車両受注サーバ装置。
【請求項６】
前記選択手段を介して操作者により選択される前記車両部品のデータを、操作者から入力される前記人体データを対応付けて、前記部品データ記憶手段に記憶させる部品データ更新手段を備えることを特徴とする請求項５に記載の車両受注サーバ装置。
【請求項７】
請求項１から請求項６の何れかに記載の車両受注サーバ装置を備え、前記車両受注サーバ装置は、操作者の入力操作に係る入力データを前記車両受注サーバ装置へ送信すると共に前記画像を表示可能な端末装置に対して、通信網を介して接続可能とされていることを特徴とする車両受注システム。
【請求項８】
前記車両受注サーバ装置は、販売店側端末装置に対して前記通信網を介して接続可能とされており、操作者の入力操作に係る入力データを前記販売店側端末装置へ送信する受注情報送信手段を備えることを特徴とする請求項７に記載の車両受注システム。
【発明の詳細な説明】
【０００１】
【発明の属する技術分野】
本発明は、車両受注サーバ装置および車両受注システムに関する。
【０００２】
【従来の技術】
従来、例えば福祉車両等のように、相対的に生産量が少ない車両や注文に応じて生産される車両は、実際に展示される機会が少なく、展示される場合であっても展示場の数が少ない場合があり、購入者が車両の操作性等を実際に確認することが困難であるという問題がある。特に、車両の乗員として障害者や高齢者等を対象とする福祉車両においては、各障害の内容に応じて製造された福祉車両の実際の操作性を、障害者本人が確認した後に、この福祉車両を購入するか否かを検討する、という購入手順を実行することが困難であるという問題がある。
このような問題に対して、従来、例えばインターネット上のウェブページによる福祉車両の情報提示方法のように、自動的に昇降動するリフトアップシート等の車両部品の操作手順を示す複数の画像や、実際に適宜の人物が車両部品を操作する際の一連の動作を撮像して得た複数の画像からなる動画データ等を閲覧可能に提示する方法が知られている。
【０００３】
【発明が解決しようとする課題】
ところで、上記従来技術の一例に係るウェブページによる福祉車両の情報提示方法によって閲覧可能に提示される動画データとして、例えば車両外部から車両部品を撮像して得た画像が設定されていると、閲覧者は、単に、車両部品の操作方法や動作等を認識することができるだけであって、車両部品の使い勝手等を認識することができないという問題がある。
しかも、動画データにおいて、例えば車両部品を操作する人物が健常者であると、障害者や高齢者等が実際に車両部品を操作することが可能であるか否かすら認識することができない虞がある。
本発明は上記事情に鑑みてなされたもので、乗員となる人物に車両の操作性を的確に認識させることが可能な車両受注サーバ装置および車両受注システムを提供することを目的とする。
【０００４】
【課題を解決するための手段】
上記課題を解決して係る目的を達成するために、請求項１に記載の本発明の車両受注サーバ装置は、操作者の入力操作に応じて車両の注文を受注する車両受注サーバ装置（例えば、実施の形態での車両受注サーバ装置１３）であって、操作者から入力される人体の身体的特徴に係る人体データを記憶する人体データ記憶手段（例えば、実施の形態での人体データ記憶部３５）と、前記人体データに基づいて人体モデルを生成する人体モデル生成手段（例えば、実施の形態での人体モデル生成部３２）と、前記人体モデルの車両操作に係る所定動作を複数の画像により構成してなる動作画像データを生成する動作画像データ生成手段（例えば、実施の形態での動作画像データ生成部３３）と、前記動作画像データを操作者に対して表示する画像データ表示手段（例えば、実施の形態でのステップＳ１０）とを備えることを特徴としている。
【０００５】
上記構成の車両受注サーバ装置によれば、人体データ記憶手段は、操作者の適宜の入力操作（例えば、音声や文字の直接入力や複数の選択項目からの選択等）によって入力される人体の身体的特徴に係る人体データ（例えば年齢、性別、身長、体重、障害の有無、補装具の有無等）を記憶する。人体モデル生成手段は、入力された人体データに基づき人体モデル（例えば、人体を構成する各部位の形状や機能等を適宜に数値化してなる数値データ等）を生成する。動作画像データ生成手段は、生成した人体モデルが車両の車両部品を操作する際の一連の所定動作を構成する複数の画像からなる動作画像データを生成する。画像データ表示手段は、適宜の表示画面（例えば、車両受注サーバ装置や操作者が操作する端末装置等に具備される表示装置の表示画面）上に、生成した動作画像データを表示させる。
これにより、操作者は、例えば人体データとして自分自身の身体的特徴のデータを入力することによって、あたかも自分自身が車両を操作する際の一連の動作を認識することができ、車両の使い勝手や操作難易度等の操作性を操作者本人の基準で評価することが可能となる。
また、操作者は、例えば人体データとして適宜の身体的特徴のデータを入力することによって、各多様な障害者や高齢者等毎に対応した動作画像データを生成させることができ、各多様な障害者や高齢者等毎に車両の使い勝手や操作難易度等の操作性を評価することが可能となる。
しかも、操作者から入力される人体データを記憶することによって、人体データのサンプル数を増大させることができる。
【０００６】
さらに、請求項２に記載の本発明の車両受注サーバ装置は、前記人体モデルの車両操作に係る所定動作に伴う前記人体モデルの目線からみた画像からなる目線画像データを生成する目線画像データ生成手段（例えば、実施の形態での目線画像データ生成部３４）を備え、前記画像データ表示手段は、前記目線画像データを操作者に対して表示することを特徴としている。
【０００７】
上記構成の車両受注サーバ装置によれば、例えば動作画像データ生成手段によって人体モデルおよび車両部品の全体像を把握可能な動作画像データを生成することに加えて、目線画像データ生成手段によって人体モデルの目線からみた画像からなる目線画像データを生成し、目線画像データを画像データ表示手段によって表示させる。
これにより、操作者は、より一層、実体験に近い状態で、自分自身あるいは各多様な障害者や高齢者等毎が車両を操作する際の一連の動作を認識することができ、車両の使い勝手や操作難易度等の操作性を多角的に評価することが可能となる。
【０００８】
さらに、請求項３に記載の本発明の車両受注サーバ装置は、第２の人体モデルを生成する第２人体モデル生成手段（例えば、実施の形態での人体モデル生成部３２が兼ねる）と、前記人体モデルの車両操作に係る所定動作に応じた前記第２の人体モデルの動作を複数の画像により構成してなる第２の動作画像データを生成する第２動作画像データ生成手段（例えば、実施の形態での動作画像データ生成部３３が兼ねる）と、前記第２の人体モデルの動作に伴う前記第２の人体モデルの目線からみた画像からなる第２の目線画像データを生成する第２目線画像データ生成手段（例えば、実施の形態での目線画像データ生成部３４が兼ねる）とを備え、前記画像データ表示手段は、前記第２の動作画像データおよび前記第２の目線画像データを操作者に対して表示することを特徴としている。
【０００９】
上記構成の車両受注サーバ装置によれば、例えば人体モデル生成手段によって障害者や高齢者等とされる車両の乗員に対する人体モデルを生成することに加えて、第２人体モデル生成手段によって、例えば障害者や高齢者を介護、介助等する人物に対する第２の人体モデルを生成する。そして、第２動作画像データ生成手段によって第２の人体モデルの動作に対する第２の動作画像データを生成し、第２目線画像データ生成手段によって第２の目線画像データを生成する。
これにより、操作者は、人体モデルの車両操作に係る動作に加えて、この人体モデルの動作に応じた第２の人体モデルの動作を認識することができ、より一層、多角的な見地に基づいて車両の使い勝手や操作難易度等の操作性を評価することが可能となる。
【００１０】
さらに、請求項４に記載の本発明の車両受注サーバ装置は、前記人体モデルにより操作される車両を構成する車両部品のデータを記憶する部品データ記憶手段（例えば、実施の形態での部品データ記憶部３６）と、前記部品データ記憶手段に格納されている前記車両部品のデータを操作者に選択させる選択手段（例えば、実施の形態でのステップＳ０８）とを備えることを特徴としている。
【００１１】
上記構成の車両受注サーバ装置によれば、操作者は、部品データ記憶手段に格納されている車両部品のデータを適宜に選択して、各車両部品毎あるいは複数の車両部品の適宜の組み合わせ毎に操作性を評価することが可能となり、車両発注時に生じる多様な要望を満足させることが可能となる。
【００１２】
さらに、請求項５に記載の本発明の車両受注サーバ装置では、前記部品データ記憶手段は、前記車両部品のデータを所定人体データに対応付けて記憶しており、操作者から入力される前記人体データに応じて前記部品データ記憶手段に格納されている前記車両部品のデータを取得する部品データ取得手段（例えば、実施の形態でのステップＳ０７）を備え、前記選択手段は、前記部品データ取得手段により取得された前記車両部品のデータを操作者に選択させることを特徴としている。
【００１３】
上記構成の車両受注サーバ装置によれば、部品データ取得手段は、操作者から入力される人体データに応じて、部品データ記憶手段に格納されている車両部品のデータを検索し、例えば、入力される人体データと同等の所定人体データに対応付けられている車両部品のデータを取得する。そして、取得された車両部品のデータは選択手段を介して操作者により選択される。
これにより、操作者は、入力した人体データに応じた適切な車両部品を容易に選択することができる。
【００１４】
さらに、請求項６に記載の本発明の車両受注サーバ装置は、前記選択手段を介して操作者により選択される前記車両部品のデータを、操作者から入力される前記人体データを対応付けて、前記部品データ記憶手段に記憶させる部品データ更新手段（例えば、実施の形態でのステップＳ１４）を備えることを特徴としている。
【００１５】
上記構成の車両受注サーバ装置によれば、部品データ記憶手段に格納される車両部品のデータと人体データとの対応関係のデータに対して、実際に操作者により選択される車両部品のデータと人体データとの対応関係のデータが蓄積されることで、更新される。
これにより、操作者は、入力した人体データに応じて、より一層、適切な車両部品を容易に選択することができる。
【００１６】
また、請求項７に記載の本発明の車両受注システムは、請求項１から請求項６の何れかに記載の車両受注サーバ装置を備え、前記車両受注サーバ装置は、操作者の入力操作に係る入力データを前記車両受注サーバ装置へ送信すると共に前記画像を表示可能な端末装置（例えば、実施の形態での端末装置１１）に対して、通信網（例えば、実施の形態での通信網１２）を介して接続可能とされていることを特徴としている。
【００１７】
上記構成の車両受注システムによれば、操作者は、例えばパーソナルコンピュータ等の端末装置によって、例えばインターネット等の通信網を介して、車両受注サーバ装置に接続することができ、外出等の必要無しに容易に車両の注文を発注することができる。しかも、この場合、操作者のプライバシーを保護することが可能であり、操作者は気兼ねすること無しに車両部品の選択を行うことができる。
【００１８】
さらに、請求項８に記載の本発明の車両受注システムでは、前記車両受注サーバ装置は、販売店側端末装置（例えば、実施の形態での販売店側端末装置１４）に対して前記通信網を介して接続可能とされており、操作者の入力操作に係る入力データを前記販売店側端末装置へ送信する受注情報送信手段（例えば、実施の形態でのステップＳ１５）を備えることを特徴としている。
【００１９】
上記構成の車両受注システムによれば、例えば操作者が近隣の販売店からの車両購入を希望する場合等であっても、予め、操作者の入力操作に係る入力データ、つまり人体データに基づく車両部品の組み合わせや選択結果等のデータが販売店側端末装置へ送信されることから、操作者は容易に所望の車両を購入することができる。
【００２０】
【発明の実施の形態】
以下、本発明の一実施形態に係る車両受注サーバ装置および車両受注システムについて添付図面を参照しながら説明する。
図１に示すように、本実施の形態の車両受注システム１０は、例えばパーソナルコンピュータ等の端末装置１１を介した操作者の入力操作によって、車両の注文を受注するものであって、例えばインターネット等の通信網１２を介して端末装置１１と通信接続可能とされた、車両受注サーバ装置１３と、販売店側端末装置１４と、相談側端末装置１５とを備えて構成されている。
なお、端末装置１１は、例えば、端末側送受信部２１と、ディスプレイ等の表示部２２と、キーボードやマウス、音声入力装置等からなる入力操作部２３と、端末側記憶部２４とを備えて構成されている。
【００２１】
本実施形態に係る車両受注サーバ装置１３は、例えば、サーバ側送受信部３１と、人体モデル生成部３２と、動作画像データ生成部３３と、目線画像データ生成部３４と、人体データ記憶部３５と、部品データ記憶部３６と、サーバ側受注データ記憶部３７とを備えて構成されている。
サーバ側送受信部３１は、例えばＷＡＰ（Ｗｉｒｅｌｅｓｓ　Ａｐｐｌｉｃａｔｉｏｎ　Ｐｒｏｔｏｃｏｌ）による無線通信、ＷＷＷ（Ｗｏｒｌｄ　Ｗｉｄｅ　Ｗｅｂ）を利用したインターネット、あるいはＰＳＴＮ（Ｐｕｂｌｉｃ　Ｓｗｉｔｃｈ　Ｔｅｌｅｐｈｏｎｅ　Ｎｅｔｗｏｒｋ）やＩＳＤＮ（Ｉｎｔｅｇｒａｔｅｄ　Ｓｅｒｖｉｃｅｓ　Ｄｉｇｉｔａｌ　Ｎｅｔｗｏｒｋ）等の公衆回線網を介した有線通信により、各端末装置１１，１４，１５と車両受注サーバ装置１３とを接続する通信網１２を介して、各端末装置１１，１４，１５と各種データの送受信を行う。
【００２２】
人体モデル生成部３２は、例えば年齢、性別、身長、体重、障害の有無、補装具の有無等のように、端末装置１１の入力操作部２３を介して操作者から入力される人体の身体的特徴に係る人体データや、後述する人体データ記憶部３５に予め設定されている所定の人体データに基づき、人体モデルを生成する。
この人体モデルは、例えば人体を構成する各部位の形状や機能等を適宜に数値化してなる数値データ等とされており、さらに、３次元の動画や静止画等の図形表示へ変換可能とされている。
【００２３】
動作画像データ生成部３３は、人体モデル生成部３２にて生成された人体モデルと、後述する部品データ記憶部３６に格納された車両部品のデータ等とに基づき、人体モデルが車両部品を操作する際の一連の動作を構成する複数の画像からなる動作画像データを、コンピュータの図形処理等により生成する。
この動作画像データは、例えば人体モデルおよび車両部品の全体像を把握可能な目線からみた画像により構成されている。
なお、動作画像データにおいて対象とされる人体モデルは、１体に限らず、例えば障害者と介護者等のように、複数体であってもよい。
【００２４】
目線画像データ生成部３４は、人体モデル生成部３２にて生成された人体モデルと、後述する部品データ記憶部３６に格納された車両部品のデータ等とに基づき、人体モデルが車両部品を操作する際の一連の動作に伴う人体モデルの目線からみた画像からなる目線画像データを、コンピュータの図形処理等により生成する。
【００２５】
人体データ記憶部３５は、例えば、予め設定されている所定の人体データに加えて、操作者から入力される人体データを記憶する。
部品データ記憶部３６は、例えば、車両を構成する複数の組み替え可能な車両部品のデータを記憶しており、各データは、例えば車両部品の名称と共に、車両部品の形状や機能等を適宜に数値化してなる数値データを備えて構成され、数値データは、３次元の動画や静止画等の図形表示へ変換可能とされている。さらに、各車両部品のデータは、例えば、人体データ記憶部３５に格納されている各人体データおよび搭載可能な車両の種類（車種）に対応付けられており、適宜の人体データや車種によって検索可能とされている。
【００２６】
例えば、下記表１に示すように、身体障害者や高齢者等を対象とした福祉車両に搭載される車両部品として、完全自動および手動回転リフトアップシートや電動および手動回転シートに対しては、例えば厚型、小型、薄型等の形状が異なる複数の各シートが選択可能に設定されており、各シートの多様な組み合わせに対して、例えば、車両の乗員とされる障害者の座高に応じた体格の大小や、褥瘡（じょくそう）が生じ易いか否か、障害の種類、障害の程度、年齢、性別、さらに、障害者の動作を補助する介護者の年齢、性別等からなる人体データが対応付けられている。
例えば、障害者の動作を補助する介護者の年齢が所定年齢以上の高齢であったり、介護者が女性である場合には、完全自動リフトアップシートや電動回転シートが対応付けられており、さらに、座高が所定値以下の小柄な障害者であって、褥瘡が生じ易い高齢の下肢障害者である場合には、褥瘡が生じにくい厚型シートが対応付けられ、さらに、障害の程度が重度である場合には完全自動リフトアップシートが対応付けられ、障害の程度が軽度である場合には電動回転シートが対応付けられている。
なお、厚型シートは、クッション厚の厚い柔らかいシートである。
また、薄型シートは、クッション厚の薄い硬めのシートである。
また、小型シートは、前記厚型シート、薄型シートよりサイズの小さなシートである。
【００２７】
【表１】
2004078775.tif 000003
【００２８】
また、サーバ側受注データ記憶部３７は、操作者の一連の入力操作に応じて選択される車両部品のデータを受注データとして記憶する。
車両受注サーバ装置１３は、後述するように、操作者の入力操作に応じて、受注データを販売店の販売店側端末装置１４へと送信し、例えば販売店側から操作者側にさらに詳細な情報等を提供させる。
また、車両受注サーバ装置１３は、後述するように、操作者の入力操作に応じて、作成した動作画像データや目線画像データ等を、例えば専門の医師や介護福祉士等に備えられた相談側端末装置１５へと送信し、操作者に対して車両部品の選択についての相談の機会を提供する。
【００２９】
本実施の形態に係る車両受注システム１０は上記構成を備えており、次に、この車両受注システム１０の動作、特に、例えば障害者や高齢者等を対象とする福祉車両の注文を受注する処理について説明する。
【００３０】
例えば、操作者が端末装置１１によって車両受注サーバ装置１３に接続すると、端末装置１１の表示部２２には、例えば図４に示すような、初期案内画像が表示され、福祉車両の注文を受注する処理が開始される。
先ず、図２に示すステップＳ０１においては、例えば図５に示すように、介護者の人体データ（例えば、年齢、性別、身長等）の入力を要求する画面を、端末装置１１の表示部２２に表示させる。
次に、ステップＳ０２においては、例えば図６に示すように、被介護者の人体データ（例えば、年齢、障害内容、身長、座高、褥瘡の生じ易さ、体重、車いす等の補装具の有無等）の入力を要求する画面を、端末装置１１の表示部２２に表示させる。
【００３１】
そして、ステップＳ０３においては、入力された介護者および被介護者の人体データに基づいて人体モデルを生成する。
そして、ステップＳ０４においては、介護者および被介護者の人体モデルに基づく適宜の画像データを生成し、例えば図７に示すように、人体モデルの画像データと共に、生成した人体モデルに対する確認要求を端末装置１１の表示部２２に表示させる。この人体モデルの画像データにおいては、人体モデルを３次元的に表現すると共に、操作者による入力操作に応じて適宜の目線方向から見た画像を表示することができるようにされている。
【００３２】
次に、ステップＳ０５においては、操作者から人体モデルを再設定する要求が入力されたか否かを判定する。
この判定結果が「ＹＥＳ」の場合には、上述したステップＳ０１に戻る。
一方、この判定結果が「ＮＯ」の場合には、ステップＳ０６に進む。
ステップＳ０６においては、操作者から入力された人体データを人体データ記憶部３５に記憶する。
次に、ステップＳ０７においては、入力された人体データに基づき、部品データ記憶部３６に格納されている車両部品のデータ、および、これらの車両部品を搭載可能な車両の種類（車種）を検索する。
【００３３】
そして、例えば図３に示すステップＳ０８においては、例えば図８に示すように、検索により得られた車両部品および車種と共に、選択操作の入力要求を端末装置１１の表示部２２に表示させる。ここでは、さらに、操作者から直接に車両部品や車種等を入力させるようにしてもよい。
そして、ステップＳ０９においては、操作者により選択されたり、直接に入力されることで設定された車両部品のデータや車種と、生成した介護者および被介護者の人体モデルとに基づき、動作画像データおよび目線画像データを、コンピュータの図形処理等により生成する。
【００３４】
そして、ステップＳ１０においては、操作者の入力操作に応じて動作画像データおよび目線画像データを端末装置１１の表示部２２に表示させる。
ここでは、例えば車両の乗員である障害者や介護者の人体モデルおよび車両部品の全体像を把握可能な目線からみた動画や、例えば図９に示すように、介護者の目線から見た動画（Ｍｏｖｉｅ１）や、例えば図１０に示すように、被介護者の目線から見た動画（Ｍｏｖｉｅ２）等が選択可能に提示される。そして、各動画は、操作者の入力操作に応じて、適宜の箇所が拡大表示可能とされている。
また、各車両部品毎の動画に加えて、操作者により設定された車種と車両部品との組み合わせに対しては、例えば図１１に示すように、設定された組み合わせの内容を示すデータと共に、車種および車両部品と人体モデルとの全体像を把握可能な動作画像データおよび目線画像データの表示有無に対する入力操作要求を表示させる。そして、図１２に示すように、動作画像データや目線画像データの動画（Ｍｏｖｉｅ３）等が選択可能に提示される。この動画は、例えば、操作者の入力操作に応じて、適宜の箇所が拡大表示可能とされている。
【００３５】
そして、ステップＳ１１においては、オプションサービスの提示処理として、例えば図１３に示すように、設定された車種と車両部品との組み合わせの内容を示すデータ、および、生成した動作画像データおよび目線画像データを保存し、これらのデータを繰り返し表示可能とするか否かを操作者に選択させる。そして、保存時においては暗証番号の入力を要求する。
また、例えば図１４および図１５に示すように、生成した動作画像データおよび目線画像データを、例えば専門の医師や介護福祉士等に送信し、車両や車両部品の選択についての相談を受けるか否かを操作者に選択させる。
また、例えば図１６に示すように、設定された車種や車両部品、あるいは、車種と車両部品との組み合わせ等に関し、同等の設定により車両を購入した他の顧客と接触するか否かを操作者に選択させる。ここで、他の顧客との接触が要求された場合には、接触可能な顧客を検索し、例えば図１７に示すように、検索結果を端末装置１１の表示部２２に表示させる。
【００３６】
そして、ステップＳ１２においては、例えば図１８に示すように、車種および車両部品の選択結果に対する確認要求を端末装置１１の表示部２２に表示させる。
そして、ステップＳ１３においては、操作者から車種および車両部品を再選択する要求が入力されたか否かを判定する。
この判定結果が「ＹＥＳ」の場合には、上述したステップＳ０８に戻る。
一方、この判定結果が「ＮＯ」の場合には、ステップＳ１４に進む。
そして、ステップＳ１４においては、設定された車種および車両部品のデータを、入力された人体データに対応付けて部品データ記憶部３６に記憶する。
【００３７】
そして、ステップＳ１５においては、例えば図１８に示すように、設定された車種および車両部品による発注の有無の入力を、操作者に要求する。
ここで、発注が実行された場合には、操作者の近隣の販売店の販売店側端末装置１４へ、設定された車種および車両部品の組み合わせの内容を示すデータと共に、生成された動作画像データおよび目線画像データを送信し、一連の処理を終了する。
また、ここでは、例えば図１９に示すように、操作者の近隣の販売店の販売店側端末装置１４へ、設定された車種および車両部品の組み合わせの内容を示すデータと共に、生成された動作画像データおよび目線画像データを送信し、例えば販売店側から操作者側に、さらに詳細な情報等を提供させてもよい。
【００３８】
上述したように、本実施の形態による車両受注サーバ装置１３によれば、例えば操作者から人体データとして操作者自身の身体的特徴のデータが入力されると、操作者自身が車両を操作する際の一連の動作を容易に認識させることができ、車両の使い勝手や操作難易度等の操作性を操作者本人の基準で容易に評価させることが可能となる。また、例えば人体データとして適宜の身体的特徴のデータが入力されると、多様な障害者や高齢者等毎に対応した動作画像データが生成されることから、操作者に多様な障害者や高齢者等毎に車両の使い勝手や操作難易度等の操作性を評価させることが可能となる。
しかも、人体モデルおよび車両部品の全体像を把握可能な動作画像データに加えて、人体モデルの目線からみた目線画像データを生成することにより、操作者は、より一層、実体験に近い状態で、自分自身あるいは多様な障害者や高齢者等が車両を操作する際の一連の動作を認識することができ、車両の使い勝手や操作難易度等の操作性を多角的に評価することが可能となる。
【００３９】
また、人体モデルは、車両の乗員等の１体に限らず、例えば障害者と介護者等のように、複数体を対象として生成することができ、複数体の人体モデルの相互動作に対して動作画像データおよび目線画像データを生成することにより、より一層、多角的な見地に基づいて車両の使い勝手や操作難易度等の操作性を評価させることが可能となる。
さらに、本実施の形態による車両受注システム１０によれば、操作者は、例えばパーソナルコンピュータ等の端末装置１１によって、例えばインターネット等の通信網１２を介して、車両受注サーバ装置１３に接続することができ、外出等の必要無しに容易に車両の注文を発注することができる。しかも、この場合、操作者のプライバシーを保護することが可能であり、操作者は気兼ねすること無しに車両部品の選択を行うことができる。
また、例えば操作者が近隣の販売店からの車両購入を希望する場合等であっても、予め、操作者により設定された車種および車両部品の組み合わせの内容を示すデータと共に、生成された動作画像データおよび目線画像データが販売店側端末装置１４へ送信されることから、操作者は容易に所望の車両を購入することができる。
【００４０】
なお、本発明の一実施形態に係る車両受注サーバ装置１３は、専用のハードウェアにより実現されるものであってもよく、また、メモリおよびＣＰＵを備えて構成され、車両受注サーバ装置１３の機能を実現するためのプログラムをメモリにロードして実行することによりその機能を実現するものであってもよい。
【００４１】
また、上述した本発明に係る車両受注サーバ装置１３の機能を実現するためのプログラムをコンピュータ読みとり可能な記録媒体に記録して、この記録媒体に記録されたプログラムをコンピュータシステムに読み込ませ、実行することにより結晶形状の測定を行っても良い。なお、ここで言うコンピュータシステムとはＯＳや周辺機器等のハードウェアを含むものであってもよい。
【００４２】
また、コンピュータ読みとり可能な記録媒体とは、フレキシブルディスク、光磁気ディスク、ＲＯＭ、ＣＤ−ＲＯＭ等の可搬媒体、コンピュータシステムに内蔵されるハードディスク等の記憶装置のことを言う。さらに、コンピュータ読みとり可能な記録媒体とは、インターネット等のネットワークや電話回線等の通信回線を介してプログラムを送信する場合の通信線のように短時間の間、動的にプログラムを保持するもの、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに、前述した機能をコンピュータシステムにすでに記憶されているプログラムとの組み合わせで実現できるものであってもよい。
【００４３】
【発明の効果】
以上説明したように、請求項１に記載の本発明の車両受注サーバ装置によれば、操作者は、あたかも自分自身が車両を操作する際の一連の動作を認識することができ、車両の使い勝手や操作難易度等の操作性を操作者本人の基準で評価することが可能となる。また、操作者は、多様な障害者や高齢者等毎に車両の使い勝手や操作難易度等の操作性を評価することが可能となる。しかも、人体データのサンプル数を増大させることができる。
さらに、請求項２に記載の本発明の車両受注サーバ装置によれば、操作者は、より一層、実体験に近い状態で、自分自身あるいは各多様な障害者や高齢者等毎が車両を操作する際の一連の動作を認識することができ、車両の使い勝手や操作難易度等の操作性を多角的に評価することが可能となる。
さらに、請求項３に記載の本発明の車両受注サーバ装置によれば、操作者は、人体モデルの車両操作に係る動作に加えて、この人体モデルの動作に応じた第２の人体モデルの動作を認識することができ、より一層、多角的な見地に基づいて車両の使い勝手や操作難易度等の操作性を評価することが可能となる。
【００４４】
さらに、請求項４に記載の本発明の車両受注サーバ装置によれば、操作者は、部品データ記憶手段に格納されている車両部品のデータを適宜に選択して、各車両部品毎あるいは複数の車両部品の適宜の組み合わせ毎に操作性を評価することが可能となり、車両発注時に生じる多様な要望を確実に満足させることが可能となる。
さらに、請求項５に記載の本発明の車両受注サーバ装置によれば、操作者は、入力した人体データに応じた適切な車両部品を容易に選択することができる。
さらに、請求項６に記載の本発明の車両受注サーバ装置によれば、操作者は、入力した人体データに応じて、より一層、適切な車両部品を容易に選択することができる。
【００４５】
また、請求項７に記載の本発明の車両受注システムによれば、操作者は、外出等の必要無しに容易に車両の注文を発注することができる。しかも、この場合、操作者のプライバシーを保護することが可能であり、操作者は気兼ねすること無しに車両部品の選択を行うことができる。
さらに、請求項８に記載の本発明の車両受注システムによれば、操作者が近隣の販売店からの車両購入を希望する場合等であっても、予め、操作者の入力操作に係る入力データが販売店側端末装置へ送信されることから、操作者は容易に所望の車両を購入することができる。
【図面の簡単な説明】
【図１】本発明の一実施形態に係る車両受注システムの構成図である。
【図２】図１に示す車両受注システムの動作、特に、例えば障害者や高齢者等を対象とする福祉車両の注文を受注する処理を示すフローチャートである。
【図３】図１に示す車両受注システムの動作、特に、例えば障害者や高齢者等を対象とする福祉車両の注文を受注する処理を示すフローチャートである。
【図４】車両受注サーバ装置により端末装置の表示部に表示される初期案内画像の一例を示す図である。
【図５】車両受注サーバ装置により端末装置の表示部に表示される、介護者の人体データの入力を要求する表示画面の一例を示す図である。
【図６】車両受注サーバ装置により端末装置の表示部に表示される、被介護者の人体データの入力を要求する表示画面の一例を示す図である。
【図７】車両受注サーバ装置により端末装置の表示部に表示される、生成した人体モデルに対する確認を要求する表示画面の一例を示す図である。
【図８】車両受注サーバ装置により端末装置の表示部に表示される、検索により得られた車両部品および車種に対する選択操作の入力を要求する表示画面の一例を示す図である。
【図９】車両受注サーバ装置により端末装置の表示部に表示される、介護者の目線から見た動画の表示有無に対する入力操作を要求する表示画面の一例を示す図である。
【図１０】車両受注サーバ装置により端末装置の表示部に表示される、被介護者の目線から見た動画の表示有無に対する入力操作を要求する表示画面の一例を示す図である。
【図１１】車両受注サーバ装置により端末装置の表示部に表示される、車種および車両部品と人体モデルとを含む動作画像データおよび目線画像データの表示有無に対する入力操作を要求する表示画面の一例を示す図である。
【図１２】車両受注サーバ装置により端末装置の表示部に表示される、車種および車両部品と人体モデルとを含む動作画像データおよび目線画像データの表示有無に対する入力操作を要求する表示画面の一例を示す図である。
【図１３】車両受注サーバ装置により端末装置の表示部に表示される表示画面の一例を示す図である。
【図１４】車両受注サーバ装置により端末装置の表示部に表示される表示画面の一例を示す図である。
【図１５】車両受注サーバ装置により端末装置の表示部に表示される表示画面の一例を示す図である。
【図１６】車両受注サーバ装置により端末装置の表示部に表示される表示画面の一例を示す図である。
【図１７】車両受注サーバ装置により端末装置の表示部に表示される表示画面の一例を示す図である。
【図１８】車両受注サーバ装置により端末装置の表示部に表示される、設定された車種および車両部品による発注の有無の入力を要求する表示画面の一例を示す図である。
【図１９】車両受注サーバ装置により端末装置の表示部に表示される、設定された車種および車両部品による発注の有無の入力を要求する表示画面の一例を示す図である。
【符号の説明】
１０　車両受注システム
１１　端末装置
１２　通信網
１３　車両受注サーバ装置
１４　販売店側端末装置
３２　人体モデル生成部（人体モデル生成手段、第２人体モデル生成手段）
３３　動作画像データ生成部（動作画像データ生成手段、第２動作画像データ生成手段）
３４　目線画像データ生成部（目線画像データ生成手段、第２目線画像データ生成手段）
３５　人体データ記憶部（人体データ記憶手段）
３６　部品データ記憶部（部品データ記憶手段）
ステップＳ０７　部品データ取得手段
ステップＳ０８　選択手段
ステップＳ１０　画像データ表示手段
ステップＳ１４　部品データ更新手段
ステップＳ１５　受注情報送信手段
【図１】
2004078775.tif 000004
【図２】
2004078775.tif 000005
【図３】
2004078775.tif 000006
【図４】
2004078775.tif 000007
【図５】
2004078775.tif 000008
【図６】
2004078775.tif 000009
【図７】
2004078775.tif 000010
【図８】
2004078775.tif 000011
【図９】
2004078775.tif 000012
【図１０】
2004078775.tif 000013
【図１１】
2004078775.tif 000014
【図１２】
2004078775.tif 000015
【図１３】
2004078775.tif 000016
【図１４】
2004078775.tif 000017
【図１５】
2004078775.tif 000018
【図１６】
2004078775.tif 000019
【図１７】
2004078775.tif 000020
【図１８】
2004078775.tif 000021
【図１９】
2004078775.tif 000022